(57)【要約】【目的】シートの差し入れ、抜き取り、順序の入れ替えが簡単に行なえるシート綴じ具を提供すること。【構成】穴１０と、穴１０からシート端部まで通ずる抜き取り通路１１と、穴部に綴じ部材３、８がひっかかるひっかかり部１２、１２′とを有する薄い一定の形を持ったシート９を備え、穴１０に２個の綴じ部材３、８を通す。綴じ部材３、８を一定距離だけ離した状態でシート９を綴じ部材３、８から抜き取り通路１１を通って抜けない様に綴じる構成とし、綴じ部材３、８間の距離を縮小（接触）する事によってシート９が２個の綴じ部材３、８から抜き取り通路１１を通って抜き取れる構成とする。【選択図】図１
2007076355.tif 000002
【特許請求の範囲】
【請求項１】
穴と、前記穴からシートの端部まで通ずる抜き取り通路と、穴部に綴じ部材がひっかかるひっかかり部とを有する薄い一定の形を持ったシートを備え、更に前記穴に２個の綴じ部材を通し、各々の綴じ部材を一定距離だけ離した状態で前記シートを綴じ部材から抜き取り通路を通って抜けない様に綴じる構成とし、各々の綴じ部材間の距離を縮小する事によって前記シートが２個の綴じ部材から前記抜き取り通路を通って抜き取れる構成とした事を特徴とするシート綴じ具。
【請求項２】
穴と抜き取り通路とひっかかり部とを有する補強用のシートを備え、前記穴に２個の綴じ部材を通した請求項１記載のシート綴じ具。
【請求項３】
抜き取り通路を通り易い様に、２個の綴じ部材が接触した時の断面が両端部共に先細の形状となる様に形成した請求項１又は２記載のシート綴じ具。
【発明の詳細な説明】
【発明の詳細な説明】
【産業上の利用分野】
【０００１】  本発明は紙などの薄い一定の形を持ったシートを綴じるシート綴じ具に係わり、シートの差し入れや抜き取り、順序の入れ替えが自由に簡単に出来る様にしたものに関する。
【背景技術】
【０００２】  紙などの薄い一定の形を持ったシートを綴じる綴じ具にはバインダー式（ルーズリーフ式）綴じ具があるが、閉じたり開いたりしてシートの差し入れや抜き取り、順序の入れ替えが出来る利点がある。これは綴じリングが閉じたり開いたり（綴じリングの中央に透き間ができたり、なくなったりする）するものであるが、操作が面倒で、枚数が増えると何回も何回も綴じリングの開閉を繰り返す必要があった。例えば１枚のシートの順序の入れ替えを例に取ると、先ず該当するページを開いた上で綴じリングを開いてそのシートを抜き取り、次に綴じリングを閉じて入れたいページを開いた上で綴じリングを開き、先に抜き取ったシートを差し入れてから綴じリングを閉じなければならない。シートが２枚の場合となると、以上の操作が２回必要である。
【発明が解決しようとする問題点】
【０００３】  本発明の目的は、シートの差し入れや抜き取り、順序の入れ替えが簡単に行なえるシート綴じ具を提供するところにある。
【問題点を解決する為の手段】
【０００４】  本発明は上記目的を達成する為、穴と穴からシートの端部まで通ずる抜き取り通路と、穴部に綴じ部材がひっかかるひっかかり部とを有する薄い一定の形を持ったシートを備え、更に前記穴に２個の綴じ部材を通し、各々の綴じ部材を一定距離だけ離した状態でシートを綴じ部材から抜き取り通路を通って抜けない様に綴じる構成とし、各々の綴じ部材間の距離を縮小する事によってシートが２個の綴じ部材から抜き取り通路を通って抜き取れる構成としたのである。
【実施例】
【０００５】  図１は本発明によるシート綴じ具の一実施例で、図１（イ）はシート綴じ具の本体を示し、これを図１（ニ）の様にカバー１３に取り付けて紙などの薄い一定の形を持ったシート９を何枚も綴じるのである（リベット穴４にリベットを通してカバー１３に固定）。先ず図１（イ）のシート綴じ具において、図１（ロ）の如く綴じ部材３を備えた（図では４個備えている）固定体１に図１（ハ）の如く綴じ部材８を備えた（図では４個備えている）スライド板５を下方から嵌め込んで組み付けた構造で、綴じ部材３と８との間には一定の距離が保たれており、各々の綴じ部材はリング状を呈している。２は補強部材、６はスライド板５を動かす為の摘み、７はリベットが嵌り込む長孔である（スライド板５が一定距離移動する為の逃げである）。図１（ニ）は図１（イ）のシート綴じ具をカバー１３に取り付けて固定したもので、紙などの薄い一定の形（一般には長方形、正方形であり、全てが同じ大きさであると言う意味ではない）を持ったシート９を何枚も綴じる事が出来る。シート９は穴１０と、穴１０からシート９の端部まで通ずる抜き取り通路１１と、穴部に綴じ部材３、８がひっかかるひっかかり部１２、１２′とを有しており、図示の如く穴１０に２個の綴じ部材３、８を通す構成としている。図はスライド板５を押し込んで綴じ部材３、８を互いに一定距離だけ離した状態であり、ひっかかり部１２、１２′に綴じ部材３、８がひっかかって、シート９を綴じ部材３、８から抜き取り通路１１を通って抜く事は出来ない、この状態ではシート９を自由にめくる事が出来る。次に摘み６を摘んでスライド板５を引き出すと、図３（ハ）の如く綴じ部材３と８との間の距離が縮小され（両者を接触又は接近させた状態とするが、一般には図示の如く接触させるのが良い）、シート９を矢印の如く少し動かす事によって綴じ部材３、８を抜き取り通路１１に一致させ、横方向に引けば抜き取り通路１１を介して綴じ部材３、８を通過させる事が出来るから、シート９を抜き取る事が出来、かくして任意のページのシート９を抜き取る事が出来る。又、この状態ではひっかかり部１２が綴じ部材３、８にひっかかっているから、シート９は矢印の如く動かさない様に注意すれば綴じ部材３、８から抜ける事はなく、自由に各ページをめくる事が出来る。この場合、ページをめくる時は自分の方に引っ張る様にしながら行なうとシート９が抜ける事が防げるが、シート９を自分の側が低くなる様に傾けておくと、より効果的である。この為には、図３（ニ）の如く折り畳み式のレバー１４を引き出して立てるか（レバー１４の代りに本などを枕にしても良い）、図３（ホ）の如くスライド板５と連動するレバー１５を立てる様にする事が考えられる（スライド板５を引くと、これを連動するレバー１５が立つ）。あるいはより簡単には、手でカバー１３を持って自分の側が低くなる様に傾ける方法がある。シート９を差し入れる場合は抜く時の反対で、抜き取り通路１１を綴じ部材３、８に通し、シート９を図３（ハ）の矢印と反対方向に少し動かせば良い。シート９を何枚も一度に差し入れ・充填する時は、シート９を全部きちんと揃えておいてから同様に行なう。この後、スライド板５を押し込めば図１（ニ）���状態となり、シート９は綴じた状態となるのである。この様にスライド板５を引き出しておけば、任意のページのシート９の抜き取り、任意のページへのシート９の差し入れが容易であり、従ってシート９の順序の入れ替えも容易に行える（この間、ページは自由にめくる事が出来る）。図３（ヘ）は摘み６を自分の側に備え、これを引き出すと綴じ部材３、８が一定距離だけ離れた状態となってシート９を綴じ、押し込むと綴じ部材３、８間の距離が縮小して（接触して）、シート９の差し入れや抜き取り、順序の入れ替えが容易に出来る様にしたものである。
図３（ト）はスライド板５を引き出すと、これに備えられた綴じ部材８が動いて綴じ部材３との距離が縮小し（接触し）、シート９の差し入れや抜き取り、順序の入れ替えが容易に出来る様にしたもので（スライド板５を押し込むとシート９を綴じる事が出来る）、図の状態でページをめくる時はシート９を向こう側へ押す様にめくると、シート９が綴じ部材３、８から抜けない。尚、図３（ト）では綴じ部材３、８の前後の順序が図１の場合とは反対になっている。図３（イ）、（ロ）は穴１０、抜き取り通路１１、ひっかかり部１２、１２′を示すもので、前者が一般的であるが、ひっかかり部１２′がない後者の場合も考えられるものである。ところで綴じ部材３、８の断面の形状は単純な円形でも良いが、図２（イ）の如く例えば三日月形にするなどして、抜き取り通路１１を通り易い様に図２（ロ）の如く２個の綴じ部材３、８が接触した時の断面が両端部共に先細の形状となる様にする事が望ましい。図２（ハ）は移動する側の綴じ部材８の断面の幅を固定側の綴じ部材３の断面の幅よりも小さくしたもので、綴じ部材８を移動させる時のシート９へのひっかかりを防ぐものである（ひっかかるとシート９が一緒に動く）。
次に本発明によるシート綴じ具により複数のシートを綴じたものは手帳やノート、写真ブック、スクラップブックなどとして使われるが、シート９には穴１０、抜き取り通路１１が形成されている為、この部分が弱く（特にひっかかり部１２、１２′が弱い）、折れ曲ったりするとひっかかりが出て、シートの差し入れや抜き取り、順序の入れ替えがスムーズに行なわれない事がある。この対策としては穴１０、抜き取り通路１１がある部分を折り返して接着し、二重構造としたり、シート９を厚く強いものにする事の他に、図４（イ）の如く穴１０と抜き取り通路１１とひっかかり部１２（１２′）とを有する補強用のシート１６を備える方法がある。この補強用のシート１６はプラスチックなどで作り、シート９よりは厚さを若干増す様にする。補強用のシート１６とシート９とは接着剤などで接着させる（補強用のシート１６に相当する部分をプラスチックなどを所定の厚さにコーティングし、この部分を補強用のシートとしても良い）。スクラップブックの中には図４（ロ）の如く透明な袋状のシート９′を使う事があるが、この様な場合は補強用のシート１６（プラスチック製、ステンレス製など）をサンドイッチ構造に間に挟み込む事も考えられる。そして一般には袋状のシート９′には一枚のシート（紙）がは入っている場合が多いが、このシートにも穴１０、抜き取り通路１１を形成しておけば、このシートを使わない時にはシート綴じ具に綴じてスクラップ記事を貼る事が出来る（この事は従来のバインダー式（ルーズリーフ式）にも適用される――穴１０は抜き取り通路１１が不要）。写真ブックの場合は図４（ハ）の様にシート９（台紙）が厚くて強いものが多いので、補強用のシートは不要とする事が出来る。尚、図４（ロ）の場合シート９′と補強用のシート１６とはプラスチック製であるから、両者を溶着して結合させる事が出来る。【０００６】  図５（イ）に示すシート綴じ具は、綴じ部材１８を備えた固定体１７に綴じ部材２０を備えたスライド板１９を下方から嵌め込んで組み付けた構造のもので（図１（イ）参照）、シート９に形成された穴１０には１個づつの綴じ部材１８又は２０が通っている。図はスライド板１９を押し込んだ状態であり、図からも明らかの様に各々の綴じ部材１８、２０はひっかかり部１２、１２′に当って各々の抜き取り通路１１から抜け出す事はないから、シート９を綴じる事が出来、ページも自由にめくれる。スライド板１９を引き出すと、一部の綴じ部材（スライド板１９に備えられた綴じ部材２０）が一定距離移動し、綴じ部材１８、２０が全て図５（ロ）の如く穴に関して同じ方向側に配列するから、各々の抜き取り通路１１を通って容易にシート９を抜き取る事が出来る（従ってシートを差し入れる事も簡単に出来る）。スライド板１９を押し込むと前記一部の綴じ部材（綴じ部材２０）が逆方向に移動し、図５（イ）の状態となるから（綴じ部材２０は穴１０に関して綴じ部材１８とは反対方向側、即ち穴１０の自分方向側に配列している）、各々の綴じ部材１８、２０は各々の抜き取り通路１１から抜け出す事が出来ず、シート９を綴じる事が出来る。この様に図１と同様にシート９の差し込みや抜き取り、順序の入れ替えを容易に行なう事ができ���。尚、穴１０、抜き取り通路１１については図３（イ）、（ロ）で述べた通りであり、スライド板１７を図３（ヘ）の如く自分の側へ引き出す様にする事も出来、図３（ト）の如くシート９を向う側へ押す様にしながらめくる構成をする事も出来る。
【発明の効果】
【０００７】  本発明によれば任意のページのシート９の抜き取り、任意のページへのシート９の差し入れ、シート９の順序の入れ替えを従来に比し極めて簡単に行なう事が出来る。従って手帳やノートに書かれたメモや記事を項目別に集めて分類する時などはページの差し入れ、抜き取り、順序の入れ替えが簡単であるから、非常に便利である（全部のシートを抜き取って１つ１つ分類しても良いが、置く場所がなく、項目別に並べられない時は困る事になる）。しかもこの時は、ページを、パラパラとめくりながら行う事が出来る。スクラップブックや写真ブックの場合は（手帳やノートの場合でも）インデックスラベルにより各シートを項目別に予め分けておき、ある項目のシートが全て一杯となってなくなったら、その項目の中に新しくシートを差し入れる時に（又は、他の項目で空いているシートを移動して差し入れる時に）簡単にでき、便利である。これは各項目が何枚のシートを必要とするかを最初から予測するは不可能であるからである。更にはある項目のシートを全て別のスクラップブック（写真ブック、ノート）へ移す時など、容易に行えるから便利である。又、特定のシートコピーを取りたい場合や興味ある記事を持ち歩いて読みたい場合などは簡単にそのシートを取れるから、便利である（かさばらない利点もある）。もちろんそのシートを元に戻す時も簡単である。
【図面の簡単な説明】
【図１】本発明によるシート綴じ具を示す図。
【図２】綴じ部材を示す図。
【図３】本発明によるシート綴じ具の各実施例を示す図。
【図４】本発明によるシート綴じ具を使用した各種実施例を示す図。
【図５】シート綴じ具を示す図。
【符号の説明】
１・１７は固定体、２は補強部材、３・８・１８・２０は綴じ部材、４はリベット穴、５・１９はスライド板、６は摘み、７は長孔、９・９′はシート、１０は穴、１１は抜き取り通路、１２・１２′はひっかかり部、１３がカバー、１４・１５はレバー、１６は補強用のシート。
【図１】
2007076355.tif 000003
【図２】
2007076355.tif 000004
【図３】
2007076355.tif 000005
【図４】
2007076355.tif 000006
【図５】
2007076355.tif 000007